(57)【要約】【課題】購入する希望商品を取置処理、決済処理および取消処理をすることができる。【解決手段】ＰＯＳ端末１４は、ホストコンピュータ１３へ取置商品の問合せを送信し、取置情報を受信し、取置情報を印刷するプリンタ３０、取置情報を読取るバーコードリーダ２９を備える。店舗サーバ１６は、商品情報を登録する在庫データベース４５と、この在庫データベース４５の商品情報を更新し、取置商品情報の問合せをホストコンピュータ１３から受信および送信する。ホストコンピュータ１３は、ＰＯＳ端末１４から取置商品の問合せを受信し、各店舗サーバ１６へ取置商品情報の問合せを送信する。各店舗サーバ１６から取置商品情報の回答を受信し、その取置商品情報に基づいて当該店舗を特定し、取置データベース５５に取置情報を登録し、ＰＯＳ端末１４へ取置情報を送信する。【選択図】      図６
2007265184.tif 000002
【特許請求の範囲】
【請求項１】
複数の店舗に設置された店舗サーバと、ＰＯＳ端末と、上位機器とをネットワークを介して接続される商品管理システムにおいて、前記ＰＯＳ端末は、前記上位機器へ取置商品の問合せを送信する取置商品送信手段と、前記上位機器から取置情報を受信する取置情報受信手段と、前記取置情報を印刷する印刷手段と、前記取置情報を読取る読取手段とを備え、前記店舗サーバは、商品情報を登録する在庫データベースと、この在庫データベースの前記商品情報を更新する更新手段と、取置商品情報の問合せを上位機器から受信する取置商品情報受信手段と、前記取置商品情報を上位機器に送信する取置商品情報送信手段と、を備え、前記上位機器は、前記ＰＯＳ端末から前記取置商品の問合せを受信する取置商品受信手段と、前記各店舗サーバへ前記取置商品情報の問合せを送信する問合せ送信手段と、前記各店舗サーバから前記取置商品情報の回答を受信する回答受信手段と、前記受信した前記取置商品情報に基づいて当該店舗サーバを特定する特定手段と、前記取置情報を格納する取置データベースと、前記ＰＯＳ端末へ前記取置情報を送信する取置情報送信手段と、を備えたことを特徴とする商品管理システム。
【請求項２】
請求項１記載の商品管理システムにおいて、前記ＰＯＳ端末は、さらに、表示手段を備えたことを特徴とする商品管理システム。
【請求項３】
請求項１または２記載の商品管理システムにおいて、前記取置情報の取置有効期限が超えると、前記取置データベースに登録されている前記取置情報が削除されることを特徴とする商品管理システム。
【請求項４】
請求項１〜３いずれかに記載の商品管理システムにおいて、前記ＰＯＳ端末は、さらに決済機能を備え、前記取置商品の決済処理が完了し、決済処理が確定した時点で、前記取置データベースから前記取置情報が削除されることを特徴とする商品管理システム。
【請求項５】
請求項１〜４いずれかに記載の商品管理システムにおいて、前記上位機器は、さらに、店舗データベースを備え、前記店舗データベースを検索し、検索した結果、問合せ元の店舗から近い店舗の店舗サーバを特定する特定手段を備えたことを特徴とする商品管理システム。
【請求項６】
複数の店舗に設置された店舗サーバと、ＰＯＳ端末と、上位機器とをネットワークを介して接続される商品管理システムにおける商品管理方法において、前記ＰＯＳ端末は、前記上位機器へ取置商品の問合せを送信するステップと、前記上位機器から取置情報を受信するステップと、前記取置情報を印刷するステップと、前記取置情報を読取るステップと、を備え、前記店舗サーバは、前記上位機器から取置商品情報を受信するステップと、前記上位機器へ前記取置商品情報を送信するステップと、前記上位機器から特定店舗サーバとして特定されるステップと、在庫データベースを更新するステップと、を備え、前記上位機器は、前記ＰＯＳ端末から前記取置商品の問合せを受信するステップと、前記各店舗サーバの前記取置商品情報の回答を受信するステップと、当該店舗サーバを特定するステップと、前記取置情報を取置データベースに登録するステップと、前記取置情報を前記ＰＯＳ端末へ送信するステップと、を備えることを特徴とする商品管理方法。
【請求項７】
請求項６記載の商品管理方法において、さらに、前記ＰＯＳ端末は、前記取置商品を表示するステップと、前記取置情報を表示するステップと、を備えることを特徴とする商品管理方法。
【請求項８】
請求項６または７記載の商品管理方法において、さらに、前記ＰＯＳ端末は、商品の決済処理をするステップと、商品の決済処理の確定を前記上位機器へ送信するステップと、前記上位機器は、前記取置データベースから前記取置情報を削除するステップと、を備えることを特徴とする商品管理方法。
【請求項９】
請求項６〜８いずれかに記載の商品管理方法において、前記上位機器は、前記取置データベースの前記取置情報の取置有効期限を確認するステップと、取置有効期限を経過すると前記取置データベースの前記取置情報を削除するステップと、を備えることを特徴とする商品管理方法。
【請求項１０】
請求項６〜９いずれかに記載の商品管理方法において、前記店舗データベースを検索するステップと、前記店舗データベースから問合せ元の店舗から近い店舗の店舗サーバを特定するステップと、を備えたことを特徴とする商品管理方法。
【発明の詳細な説明】
【技術分野】
【０００１】
本発明は、商品の取置処理、決済処理および取消処理を行う商品管理システムおよび商品管理方法に関する。
【背景技術】
【０００２】
従来、ユーザが購入を希望する商品がある場合、ユーザ端末とネットワークを介してアクセス可能な店舗サーバにより商品の取置きまたは予約を可能とする在庫管理システムおよび在庫管理方法が知られている。（たとえば、特許文献１参照）。
【特許文献１】特開２００２−２６９４１７号公報
【発明の開示】
【発明が解決しようとする課題】
【０００３】
しかしながら、従来は、商品を取置する場合に、ユーザ端末を所有していないと、商品の取置ができない。
【０００４】
本発明は、購入を希望する商品を店舗で容易に取置処理、決済処理および取消処理をすることができる商品管理システムおよび商品管理方法を提供することを目的とする。
【課題を解決するための手段】
【０００５】
本発明に係る商品管理システムは、ＰＯＳ端末は、上位機器へ取置商品の問合せを送信する取置商品送信手段と、前記上位機器から取置情報を受信する取置情報受信手段と、前記取置情報を印刷する印刷手段と、前記取置情報を読取る読取手段とを備える。店舗サーバは、商品情報を登録する在庫データベースと、この在庫データベースの商品情報を更新する更新手段と、取置商品情報の問合せを上位機器から受信する取置商品情報受信手段と、前記取置商品情報を上位機器に送信する取置商品情報送信手段と、を備える。前記上位機器は、前記ＰＯＳ端末から前記取置商品の問合せを受信する受信手段と、前記各店舗サーバへ前記取置商品情報の問合せを送信する取置商品情報送信手段と、前記各店舗サーバから前記取置商品情報の回答を受信する回答受信手段と、前記受信した前記取置商品情報に基づいて当該店舗サーバを特定する特定手段と、前記取置情報を格納する取置データベースと、前記ＰＯＳ端末へ前記取置情報を送信する取置情報送信手段と、を備えた。
【０００６】
本発明に係る商品管理方法は、ＰＯＳ端末は、上位機器へ取置商品の問合せを送信するステップと、前記上位機器から取置情報を受信するステップと、前記取置情報を印刷するステップと、前記取置情報を読取るステップと、を備える。店舗サーバは、前記上位機器から取置商品情報を受信するステップと、前記上位機器へ前記取置商品情報を送信するステップと、前記上位機器から特定店舗サーバとして特定されるステップと、在庫データベースを更新するステップと、を備える。前記上位機器は、前記ＰＯＳ端末から前記取置商品の問合せを受信するステップと、前記各店舗サーバの前記取置商品情報の回答を受信するステップと、当該店舗サーバを特定するステップと、前記取置情報を取置データベースに登録するステップと、前記取置情報を前記ＰＯＳ端末へ送信するステップと、を備えた。
【発明の効果】
【０００７】
本発明によれば、購入を希望する商品の取置処理、決済処理および取消処理が容易に行うことができる。
【発明を実施するための最良の形態】
【０００８】
以下、本発明の一実施形態について図面を参照して説明する。
【０００９】
図１は、本実施形態に係る商品管理システムの構成を示すブロック図である。
【００１０】
図１に示すように、商品管理システムは、各々の店舗にそれぞれ構築される店舗システム１１と、専用回線、インターネット等のネットワーク１２を介して本部に設置されるホストコンピュータ１３とが接続して構成されている。
【００１１】
店舗システム１１は、たとえば、コンビニエンスストアのレジカウンターに設置される複数台のＰＯＳ（Point Of Sales）端末１４と、有線または無線のＬＡＮ(Local Area Network)１５を介して集中管理されるコンビニエンスストアのバックヤードに設置した店舗サーバ１６とから構成されている。
【００１２】
ホストコンピュータ１３は、店舗システム１１の上位機器として、ＰＯＳ端末１４や店舗サーバ１６の売上データの管理、商品の在庫管理データを収集して管理する。
【００１３】
図２は、ＰＯＳ端末１４の要部構成を示すブロック図である。
【００１４】
図２に示すように、各ＰＯＳ端末１４は、システムバス２１に対して、制御部本体としてＣＰＵ（Central Processing Unit）２２と、このＣＰＵ２２を起動させる立ち上げプログラム等の固定的データを予め格納したＲＯＭ（Read Only Memory）２３と、各種のデータを書き換え自在に格納するＲＡＭ（Random Access Memory）２４と、現日時を計時する計時部２５と、ホストコンピュータ１３とのデータ通信を制御する通信コントローラ２６と、内蔵のハードディスクをアクセスしてデータの書き込み読み出しを行うＨＤＤ（Hard Disk Drive）等で構成されるメモリ２７と、置数キー、実行キー、取消キー、ＰＬＵキー、乗算キー、部門キー、等の商品登録用キーや預／現計キー、クレジットキー等の決済キー等を配設した操作部としてのキーボード２８と、バーコードを光学的に読取る読取手段としてのバーコードリーダ２９と、レシート印字等を行う印刷手段としてのプリンタ３０と、登録商品の商品コード、商品名、単価、数量、取置商品、取置商品情報および取置情報等を表示する表示手段としての表示器３１とを接続して制御回路を構成されている。
【００１５】
ＰＯＳ端末１４は、システムバス２１を介して接続された通信コントローラ２６から、ＬＡＮ１５を介して店舗サーバ１６との間で相互にオンライン通信を実行するように構成されている。
【００１６】
図３は、店舗サーバ１６の要部構成を示すブロック図である。
【００１７】
図３に示すように、店舗サーバ１６は、システムバス４１に対して、ＣＰＵ４２と、ＲＯＭ４３と、ＲＡＭ４４と、在庫データベース（以下、在庫ＤＢという）４５と、計時部４６と、通信コントローラ４７と、キーボード４８と、表示器４９とが接続して構成されている。
【００１８】
在庫ＤＢ４５には、商品情報である商品コードに対応して商品名、単価、商品画像情報および商品数量が登録されている。在庫ＤＢ４５に登録されている商品数量は、店舗サーバ１６のＣＰＵ４２からの指令に基づいて、増減の更新が行われる。
【００１９】
図４は、ホストコンピュータ１３の要部構成を示すブロック図である。
【００２０】
図４に示すように、ホストコンピュータ１３は、システムバス５１に対して、ＣＰＵ５２と、ＲＯＭ５３と、ＲＡＭ５４と、取置データベース（以下、取置ＤＢという）５５と、店舗データベース（以下、店舗ＤＢという）５６と、計時部５７と、通信用コントローラ５８と、キーボード５９、表示器６０とを接続して構成されている。
【００２１】
取置Ｄ５５には、図５に示すように、取置きレシート７１に印刷される取置情報として、たとえば、管理コードに対応して、ショップ名、商品コード、商品名、数量、取置有効期限等が登録される。
【００２２】
店舗ＤＢ５６には、登録データとしては、たとえば、ショップ名、店舗所在地、最寄り駅および取扱商品カテゴリー等が登録されている。
【００２３】
以上、説明した構成による本実施形態に係る商品管理システムにおいて、ＰＯＳ端末１４は、たとえば、商品に付けられた商品コードがＰＯＳ端末１４のバーコードリーダ２９によって読取られると、読取った商品コードを店舗サーバ１６に問い合わせる。
【００２４】
店舗サーバ１６は、図示しない商品マスタファイルの商品コードを検索し、その検索結果をＰＯＳ端末１４に送信する。
【００２５】
ＰＯＳ端末１４は、当該商品コードに対応した商品名や単価等を受信し、問い合わせた商品コード、商品名、単価等に基づき売上登録処理が表示器３１へ表示される。
【００２６】
オペレータは、ユーザが購入する全商品を商品登録して決済キー操作を実行すると、ＰＯＳ端末１４は登録商品の合計金額等を算出して決済処理を実行する。また、プリンタ３０によりレシートの印刷出力を行い、さらに売上登録処理した売上登録データがＬＡＮ１５を介して店舗内の店舗サーバ１６へ送信する。
【００２７】
ＰＯＳ端末１４は、従来の機能に加えて店舗サーバ１６を介してホストコンピュータ１３に当該取置商品について問合せを送信する機能と取置情報を受信して表示器３１に表示する機能と、取置情報をメモリ２７に登録する機能を有する。
【００２８】
店舗サーバ１６は、ＰＯＳ端末１４からの売上登録データを店舗売上ファイルに累計し、累計された売上登録データは、所定のタイミングでホストコンピュータ１３へ送信される。
【００２９】
また、店舗サーバ１６は、ホストコンピュータ１３からの精算等のデータ収集要求を受信すると、各ＰＯＳ端末１４へ売上データ収集を要求する。受信した各ＰＯＳ端末１４の売上データを集計し、この集計された各商品の販売数量と入力データファイルへ登録され入力数量がネットワーク１２を通じて本部のホストコンピュータ１３へ送信される。
【００３０】
店舗サーバ１６は、ホストコンピュータ１３から商品情報の問合せを受信すると、在庫ＤＢ４５を検索し、検索結果の商品コード、商品名および数量をホストコンピュータ１３に送信する機能と、在庫ＤＢ４５の当該商品の商品数量を減算する機能とを有する
ホストコンピュータ１３は、ネットワーク１２を介し各店舗の店舗サーバ１６から送信される売上データに基づいてチェーン店全体の売上データの管理を行う機能と、各店舗の店舗サーバ１６から受信した売上データと入力データへ登録された商品の納入数量等に基づいて、各店舗の各商品の在庫数量を算出する機能と、ＰＯＳ端末１４からの取置商品の問合せ受けると、管理コードを付けた取置商品を各店舗サーバ１６に送信する機能と、各店舗サーバ１６の在庫ＤＢ４５から商品情報を受信して、受信した商品情報に基づいて店舗ＤＢ５６から当該店舗を特定する機能と、さらに、取置情報を取置ＤＢ５５に登録する機能と、取置情報をＰＯＳ端末１４に送信する機能を有する。
【００３１】
次に、購入を希望する商品が店舗において品切れの場合、当該商品の取置処理、決済処理および取消処理をするための動作について説明する。
【００３２】
図６は、本実施形態に係る商品管理システムにおけるＰＯＳ端末１４とホストコンピュータ１３と店舗サーバ１６との取置処理を示すフローチャートである。ここで、店舗サーバ１６は、問合せ元であるＰＯＳ端末１４の店舗以外、他の店舗に設置された店舗サーバ１６のことである。
【００３３】
まず、ユーザが購入を希望する商品、すなわち、取置商品（ここでは、少なくとも、商品を識別する商品コードと取置数量をいう）について、ＰＯＳ端末１４のＣＰＵ２２は、ネットワーク１２を介してホストコンピュータ１３へ取置商品の問合せを送信する（取置商品送信手段という）（ステップＳ１１）。
【００３４】
ホストコンピュータ１３のＣＰＵ５２は、取置商品の問合せを受信(取置商品受信手段という)すると、まず、その取置商品の問合せに対して一意の識別子として、管理コードを作成する（ステップＳ１２）。
【００３５】
ここで、管理コードには、少なくとも問合せ元のＰＯＳ端末１４の店舗コード、ＰＯＳ端末コード、商品コード、取置数量等を付ける（以下、取置商品情報という）。
【００３６】
ＣＰＵ５２は、取置商品の問合せがあった店舗を除く、他店舗の各店舗サーバ１６へ管理コードと商品コードおよび取置数量を含む取置商品情報の問合せを送信する（問合せ送信手段という）（ステップＳ１３）。
【００３７】
各店舗サーバ１６のＣＰＵ４２は、管理コードを含む取置商品情報の問合せを受信する（取置商品情報受信手段という）（ステップＳ１４）。
【００３８】
ＣＰＵ４２は、取置商品情報の問合せに基づいて、在庫ＤＢ４５の商品情報から取置商品情報について検索を行ない、取置商品情報の問合せに対する当該商品コードに対応した在庫数量を管理コードとともに回答をホストコンピュータ１３へ送信する（取置商品情報送信手段という）（ステップＳ１５）。
【００３９】
ホストコンピュータ１３のＣＰＵ５２は、各店舗サーバ１６の取置商品情報の問合せに対する回答を受信（回答受信手段という）するとともに店舗ＤＢ５６の店舗情報に基づいて解析し当該店舗サーバ１６を特定する(特定手段という)。そして、当該店舗サーバ１６へ仮売上処理の通知を送信する（ステップＳ１６）。
【００４０】
ここで、仮売上処理とは、ホストコンピュータ１３の取置ＤＢ５５へ当該取置情報の少なくとも管理コードに対応して、商品コード、数量、金額および取置有効期限を登録することをいう。
【００４１】
また、当該店舗サーバ１６を特定する条件としては、たとえば、問合せ元のＰＯＳ端末１４が要求した取置数量より多くの在庫数量を所有している店舗サーバ１６を特定する。
【００４２】
また、在庫数量が同条件の店舗に関しては、店舗ＤＢ５６の店舗所在地に基づき問合せ元の店舗から近い順に調整して当該店舗サーバ１６を特定する。また、問合せ元のＰＯＳ端末１４が要求した数量より少ない場合、複数の店舗で数量を満たす場合、それぞれの店舗サーバ１６を特定する。ただし、各店舗の在庫数量が０にならないように調整する。
【００４３】
また、取置有効期限は商品の提供元店舗から問合せ元店舗までの配送期間を考慮したものとする。
【００４４】
ホストコンピュータ１３のＣＰＵ５２は、取置ＤＢ５５に取置情報を登録する（ステップＳ１７）。
【００４５】
当該店舗サーバ１６はホストコンピュータ１３から仮売上処理の通知を受信する（ステップＳ１８）。
【００４６】
当該店舗サーバ１６のＣＰＵ４２は、在庫ＤＢ４５に登録されている当該商品コードの商品数量が取置数量分だけ減算して更新する（更新手段という）（ステップＳ１９）。
【００４７】
ホストコンピュータ１３のＣＰＵ５２は、問合せ元のＰＯＳ端末１４へ取置情報の応答伝文を送信する（取置情報送信手段という）（ステップＳ２０）。
【００４８】
ＰＯＳ端末１４のＣＰＵ２２は、ホストコンピュータ１３から取置情報の応答伝文を受信する（取置情報受信手段という）（ステップＳ２１）。
【００４９】
ＰＯＳ端末１４のＣＰＵ２２は、メモリ２７に取置情報の応答伝文を登録させる（ステップＳ２２）。
【００５０】
ＰＯＳ端末１４のＣＰＵ２２は、取置情報の内容を取置きレシート７１にプリンタ（印刷手段という）３０で印刷して発行する（ステップＳ２３）。
【００５１】
ユーザは取置きレシート７１を受け取る。
【００５２】
本実施形態の商品管理システムおよびその方法の取置処理では、取置きレシート７１に印刷されている取置有効期限内であれば当該商品の取置は有効である。
【００５３】
また、ＰＯＳ端末１４では、ホストコンピュータ１３から管理コードを受信した時点から、計時部２５からの計時データを参照して、取置商品の取置有効期限を管理し、取置有効期限が切れたときには、メモリ２７から対応する管理コードを自動的に削除するようにしてもよい。
【００５４】
図７は、商品管理システムにおけるＰＯＳ端末１４とホスト１３と店舗サーバ１６との決済処理の動作を示すフローチャートである。
【００５５】
ユーザは、取置きレシート７１に印刷された取置有効期限内に店舗に赴いて、商品の決済処理を行う。決済場所にてＰＯＳ端末１４を操作して商品の決済処理を行うオペレータは、ユーザから取置きレシート７１を受け取り次の操作の一部を行う。
【００５６】
ＰＯＳ端末１４のＣＰＵ２２は、取置きレシート７１の取置情報をバーコードリーダ（読取手段という）４１で読取る（ステップＳ３１）。
【００５７】
ＣＰＵ２２は、読取った取置情報の問合せをネットワーク１２介してホストコンピュータ１３へ送信する（ステップＳ３２）。
【００５８】
ホストコンピュータ１３のＣＰＵ５２は、取置情報を受信する（ステップＳ３３）。
【００５９】
ＣＰＵ５２は、受信した取置情報に含まれている管理コードに基づいて、取置ＤＢ５５に登録されている取置情報を読取る（ステップＳ３４）。
【００６０】
ＣＰＵ５２は、取置情報をＰＯＳ端末に送信する（ステップＳ３５）。
【００６１】
ＰＯＳ端末１４のＣＰＵ２２は、ホストコンピュータ１３から取置情報を受信する（ステップＳ３６）。
【００６２】
ＣＰＵ２２は、取置ＤＢ５５の取置情報と取置レシート７１の取置情報とを照合し、照合が一致するか否かを判別する（ステップＳ３７）。
【００６３】
ステップＳ３７−ＹＥＳとして、取置レシート７１が取置ＤＢ５５の取置情報と照合が確認された。
【００６４】
ステップＳ３７−ＮＯとして、照合が確認できなかった（ステップＳ３７−ＮＯ）場合、実際の商品の授受は拒否される。
【００６５】
ＰＯＳ端末１４のＣＰＵ２２は、商品と現金やクレジットカード等の方法で支払い、商品の決済処理を行う（ステップＳ３８）。
【００６６】
ＣＰＵ２２は、商品の決済処理の確定情報をホストコンピュータ１３に送信する（ステップＳ３９）。
【００６７】
ホストコンピュータ１３は、商品の決済処理の確定情報を受信する（ステップＳ４０）。
【００６８】
ＣＰＵ５２は、商品の決済処理の確定情報を当該店舗サーバ１６に送信する（ステップＳ４１）。
【００６９】
当該店舗サーバ１６は、商品の決済処理の確定情報を受信する（ステップＳ４２）。
【００７０】
店舗サーバ１６のＣＰＵ４２は、在庫ＤＢ４５の仮売上処理状態から売上処理状態へ更新させる（ステップＳ４３）。
【００７１】
ホストコンピュータ１３のＣＰＵ５２は、当該管理コードを含む取置情報を取置ＤＢ５５から削除させる（ステップＳ４４）。
【００７２】
図８は、商品管理システムにおけるＰＯＳ端末１４とホストコンピュータ１３と店舗サーバ１６との取置商品の取消処理の動作を示すフローチャートである。
【００７３】
ＰＯＳ端末１４のＣＰＵ２２は、取置きレシート７１の取置情報の管理コード７２をバーコードリーダ４１で読取らせる（ステップＳ５１）。
【００７４】
ＰＯＳ端末１４のＣＰＵ２２は、取置商品の取置情報の取消処理を行うために、読取った管理コードをネットワーク１２介してホストコンピュータ１３へ送信する（ステップＳ５２）。
【００７５】
ホストコンピュータ１３のＣＰＵ５２は、取置情報の取消処理の問合せを受信する（ステップＳ５３）。
【００７６】
ＣＰＵ５２は、当該店舗サーバ１６へ仮売上処理の取消処理を送信する（ステップＳ５４）。
【００７７】
ＣＰＵ５２は、取置ＤＢ５５に登録されている当該管理コードを含む取置情報を削除する（ステップＳ５５）。
【００７８】
当該店舗サーバ１６は、仮売上商品の取消処理を受信する（ステップＳ５６）。
【００７９】
ＣＰＵ４２は、在庫ＤＢ４５の当該商品コードの商品数量をマイナス処理した分プラス処理が行われ在庫数量を取置処理前の元の状態に戻す（ステップＳ５７）。
【００８０】
ホストコンピュータ１３のＣＰＵ５２は、ＰＯＳ端末１４へ取消完了の通知を送信する（ステップＳ５８）。
【００８１】
ＰＯＳ端末１４のＣＰＵ２２は、ホストコンピュータ１３から取消完了の通知を受信する（ステップＳ６９）。
【００８２】
図９は、本実施形態に係る商品管理システムおよび方法におけるホストコンピュータ１３の取置ＤＢ５５に登録されている取置有効期限の管理について説明するフローチャートである。
【００８３】
ホストコンピュータ１３のＣＰＵ５２は、定期的に取置ＤＢ５５に登録されている当該取置商品の取置情報を読取る（ステップＳ９１）。
【００８４】
ＣＰＵ５２は、取置ＤＢ５５に登録されている当該取置商品の取置有効期限を超えているかを判別する（ステップＳ９２）。
【００８５】
ＣＰＵ５２は、当該取置商品の取置有効期限が超えている（ステップＳ９２−ＹＥＳ）場合には、まず、前記ステップＳ５４と同様に、当該店舗サーバ１６へ仮売上処理の取消処理を送信する（ステップＳ９３）。
【００８６】
さらに、ＣＰＵ５２は、取置ＤＢ５５に登録されている当該取置商品の管理コードを含む取置情報を削除する（ステップＳ９４）。
【００８７】
ＣＰＵ５２は、ＰＯＳ端末１４へ当該取置商品の取消完了の通知を送信する（ステップＳ９５）。
【００８８】
ＣＰＵ５２は、当該取置商品の取置有効期限が越えていない（ステップＳ９１−ＮＯ）場合は、取置ＤＢ５５の管理コードを含む取置情報を登録したままの状態にしておく。
【００８９】
以上、取置ＤＢ５５に登録されている取置有効期限の管理について説明したように、ホストコンピュータ１３のＣＰＵ５２は、取置ＤＢ５５の取置情報を読み取り、取置有効期限を超えた管理コードを見つけると当該管理コードを含む取置情報を取置ＤＢ５５のレコードから削除する。また、店舗サーバ１６へ仮売上処理の取消処理を送信する。
【００９０】
当該店舗サーバ１６のＣＰＵ４２は、在庫ＤＢ４５から当該商品情報の仮売上処理の登録を解除（プラス処理）して在庫ＤＢ４５の数量を取置処理前の状態に戻す。
【００９１】
以上、本発明に係る商品管理システムおよび商品管理方法において、取置きレシート７１に印刷されている有効期限内であれば、当該商品の確保は保証されている。
【００９２】
本実施形態は、デパート、量販店、飲食店および小売専門店等にも適用されることは勿論である。
【００９３】
以上説明したように、本発明は前記実施の形態に限定されるものではなく、実施の段階ではその趣旨を逸脱しない範囲で種々に変形することが可能であるのは勿論である。
【図面の簡単な説明】
【００９４】
【図１】本発明の一実施形態に係わる商品管理システムの構成を示すブロック図。
【図２】前記商品管理システムのＰＯＳ端末の構成を示すブロック図。
【図３】前記商品管理システムの店舗サーバの構成を示すブロック図。
【図４】前記商品管理システムのホストコンピュータの構成を示すブロック図。
【図５】本実施形態に係る取置きレシート図。
【図６】本実施形態に係るＰＯＳ端末とホストコンピュータと店舗サーバの取置処理を示すフローチャート。
【図７】本実施形態に係るＰＯＳ端末とホストコンピュータと店舗サーバの決済処理を示すフローチャート。
【図８】本実施形態に係るＰＯＳ端末とホストコンピュータと店舗サーバの取消処理を示すフローチャート。
【図９】本実施形態に係るホストコンピュータの取置ＤＢの管理処理を示すフローチャート。
【符号の説明】
【００９５】
１２…ネットワーク、１３…ホストコンピュータ、１４…ＰＯＳ端末、１５…ＬＡＮ、１６…店舗サーバ、２２、４２、５２…ＣＰＵ、２３、４３、５３…ＲＯＭ、２４、４４、５４…ＲＡＭ、２６、４７、５７…通信コントローラ、２７…メモリ、２９…バーコ−ドリーダ（読取手段）、３０…プリンタ（印刷手段）、４５…在庫データベース（在庫ＤＢ）、５５…取置データベース（取置ＤＢ）、５６…店舗データベース（店舗ＤＢ）。
【図１】
2007265184.tif 000003
【図２】
2007265184.tif 000004
【図３】
2007265184.tif 000005
【図４】
2007265184.tif 000006
【図５】
2007265184.tif 000007
【図６】
2007265184.tif 000008
【図７】
2007265184.tif 000009
【図８】
2007265184.tif 000010
【図９】
2007265184.tif 000011